(57)【要約】      （修正有）【課題】地震や火災等の災害時に、高い衝撃吸収性、耐熱性、防炎性、遮熱性を有し、容易に携帯できて、保管も場所をとらずに、何時でも、何処でも簡単に使用できる折り畳み式防災頭巾を提供する。【解決手段】ポリプロピレンなどの高強度で可撓性を有する材質からなる複数枚のプレート１０を、互いに重なり合わせて、一体且つスライド式に、折り畳み自在に扇子状に重ね連結させた構造として、高い衝撃吸収性、耐熱性、防炎性、遮熱性を有し、携帯が容易で、保管場所をとらない、何時でも、何処でも、簡単容易に使用できる構造とした。【選択図】図１
0003189557.tif 000002
【実用新案登録請求の範囲】
【請求項１】
中央折り曲げ部に対して上下或いは左右に対称の二つの合同な多角形を構成し高強度で可撓性な材料からなる複数の折り曲げ用多角形プレートと、中央折り曲げ部で折り曲げた複数の該折り曲げ用多角形プレートを重ね連結させる連結固定紐具と、からなる折り畳み式防災頭巾において、中央折り曲げ部で折り曲げた複数の該折り曲げ用多角形プレートが、互いに重ね合わせ、一体且つスライド式に、折り畳み自在に扇子状に重ね連結された構造であることを特徴とする折り畳み式防災頭巾。
【請求項２】
前記折り畳み自在に扇子状に重ね連結された複数の前記折り曲げ用多角形プレートの最外部の該折り曲げ用多角形プレートが前記連結固定紐具の元固定孔部と該連結固定紐具の重ね連結用孔部を有する構造で、前記最外部以外の該折り曲げ用多角形プレートが該連結固定紐具の重ね連結用孔部を有する構造であることを特徴とする請求項１記載の折り畳み式防災頭巾。
【請求項３】
前記最外部の折り曲げ用多角形プレートが、顔面保護面を着脱自在に取り付け可能な構造であることを特徴とする請求項１又は２記載の折り畳み式防災頭巾。
【請求項４】
前記最外部の折り曲げ用多角形プレートが、容易に頭部への着用と固定が可能な構造の顎紐固定具が設けられていることを特徴とする請求項１又は２又は３記載の折り畳み式防災頭巾。
【請求項５】
前記高強度で可撓性な材料が、折り曲げ反復が強い０．３〜１．５ｍｍの厚さのポリプロピレンから構成されることを特徴とする請求項１又は２又は３又は４記載の折り畳み式防災頭巾。
【考案の詳細な説明】
【技術分野】
【０００１】    本考案は、地震や火災等の災害時に使用される防災頭巾に関するもので、特に携帯が容易で、保管に場所をとらない折り畳み式防災頭巾に関するものである。
【背景技術】
【０００２】    従来、地震や火災等の災害時などに身の安全を守るための防災頭巾は、表面と裏面を綿織物とし、内部に綿を入れた構造で、中央部から略二つに折られた形に形成された防災頭巾が主として使われている。【０００３】    しかしながら、前記のような綿織物や綿からなる防災頭巾では、落下物や火災等からの衝撃はある程度は吸収できるが、災害時等の耐衝撃性や、耐熱性、防炎性、遮熱性等に対応するには不十分である。【０００４】    これらの課題を解決するために、表面にアラミド繊維織物を使用した防災頭巾が提案（例えば、特許文献１参照）されていて、高所から落下したガラス破片や炎等の危険物に対して優れた効果を有するが、この防災頭巾はたいへん嵩張っていて携帯することが難しく外出時等の使用は難しく、保管するにも広い場所をとり、問題は残されたままである。
【先行技術文献】
【特許文献】
【０００５】
【特許文献１】  特開平９−１０３４１号  公報
【考案の概要】
【考案が解決しようとする課題】
【０００６】    本考案は、上記課題を解決するためになされたものであり、高い衝撃吸収性、耐熱性、防炎性、遮熱性を有して、さらに携帯も容易で、保管にも場所がとられない防災頭巾を提供することである。
【課題を解決するための手段】
【０００７】    本考案は、ポリプロピレンなどの高強度で可撓性を有する材料からなる中央折り曲げ部で折り曲げた二つ折りの最外部用折り曲げ用多角形プレートと最外部以外用折り曲げ用多角形プレートの数枚を互いに重ね合わせて、一体且つスライド式に、折り畳み自在に扇子状に重ね連結させた構造とすることを特徴とする。
【考案の効果】
【０００８】    従来の綿織物や綿からなる防災頭巾では、地震や火災等の災害時の衝撃等に対する対応は不十分であり、アラミド繊維織物を使用した防災頭巾では、上記の衝撃等に対する対応は十分であるが、たいへん嵩張っていて携帯することが難しく外出時等には使用し難く、さらに、保管するにも広い場所が必要で、何時でも、何処でも使用することは難しく、使用は限定を余儀なくされている。【０００９】  一方、本考案の防災頭巾は、ポリプロピレンなどの高強度を有する材質の複数のプレートで構成されているので地震や火災等の災害時の衝撃等には十分に対応でき、さらに、最外部と最外部以外用の複数枚のプレートは、互いに重なり合って、一体且つスライド式に折り畳み自在に扇子状に重ね連結された構造であるので、容易に携帯でき、保管にも場所がとられないので、建物内に限定されることなく外出時にも容易に使用が可能となった。
【図面の簡単な説明】
【００１０】
【図１】  本考案の折り畳み式防災頭巾の使用時の一例を示す。
【図２】  本考案の最外部用の折り曲げ用多角形プレートの一例を示す。
【図３】  本考案の最外部以外用の折り曲げ用多角形プレートの一例を示す
【図４】  本考案の扇子状に重ね連結させた一例を示す。
【考案を実施するための形態】
【００１１】    以下本考案の実施をするための最良の形態を具体的に示した実施の形態について、図面を参照しながら説明する。なお、この実施の形態にのみ本考案が限定されるものではない。
【実施例】
【００１２】    図１は、本考案の折り畳み式防災頭巾の使用時の一例を示し、図２は本考案の最外部用の折り曲げ用多角形プレートの一例を示し、図３は本考案の最外部以外用の折り曲げ用多角形プレートの一例を示し、図４は本考案の扇子状に重ね連結された一例を示す。【００１３】    本考案の折り畳み式防災頭巾１は、ポリプロピレンなどの高強度で可撓性を有する材料からなり、中央折り曲げ部２で均等に二つに折り曲げされた最外部用折り曲げ用六角形プレート３と複数の最外部以外用折り曲げ用六角形プレート４とを互いに重ね合わせて、一体且つスライド式に、折り畳み自在に扇子状に重ね連結させた構造からなる。【００１４】    なお、高強度で可撓性を有する材料のポリプロピレンの厚さについては、０．３ｍｍミリメートル以下では強度が不足し、１．５ｍｍ以上では折り曲げ反復が弱くなるので、０．３〜１．５ｍｍが好適である。【００１５】    また、材料についても、ポリプロピレンに限定されるものではなく、高強度で、折り曲げ反復が強いなどの本願考案の機能を満たす材料であればよく、特に限定されるものではない。【００１６】    まず、最外部用折り曲げ用六角形プレート３は、中央折り曲げ部２に対して上下或いは左右に対称の二つの合同な、中央折り曲げ部２からなる底辺に対する二つの斜辺の内角と長さが等しい台形を構成し、中央折り曲げ部２近傍に連結固定紐具５の元固定孔部６と、連結固定紐具５の重ね連結用孔部７と、中央折り曲げ部２に対して対称に位置する上下或いは左右の両端近傍部に折り畳み自在扇子状に重ね連結用の要用貫通孔部８を形成させて最外部用折り曲げ用六角形プレート３とする。【００１７】    つぎに、複数の最外部以外用折り曲げ用六角形プレート４は、前記連結固定紐具５の重ね連結用孔部７と、前記要用貫通孔８を形成させて得る。【００１８】    そして、前記最外部用折り曲げ用六角形プレート３を中央折り曲げ部２で均等に二つに折り曲げて最外部折り曲げ台形プレート９とし、複数の最外部以外用折り曲げ用六角形プレートを中央折り曲げ部で均等に二つに折り曲げて最外部以外折り曲げ台形プレート１０とする。【００１９】    前記最外部折り曲げ台形プレート９の内側に、複数の最外部以外の折り曲げ台形プレート１０を重ね合わせて、連結固定紐具５で、元固定孔部６と重ね連結用孔部７と要用貫通孔８及び要用固定具１１を介して、一体且つスライド式に、折り畳み自在に扇子状に重ねて連結する。【００２０】    なお、前記最外部折り曲げ台形プレート９と複数の前記最外部以外折り曲げ台形プレート１０との、連結固定紐具５による、複数の重ね連結用孔部７を用いた連結固定には、最外部以外折り曲げ台形プレート１０に連結固定紐具支持用切り欠け部（図示せず）を設けておくと効果的である。【００２１】    また、前記最外部折り曲げ台形プレート９と複数の前記最外部以外折り曲げ台形プレート１０との、要用貫通孔８による連結固定は、要用貫通孔８と要用固定具１１を介して固定し、最外部折り曲げ台形プレート９以外の複数の最外部以外折り曲げ台形プレート１０の余分なプレート部のはみ出し部は削り取り形を揃えて上下一体の扇子状とする。【００２２】    また、前記最外部折り曲げ台形プレート９���、顔面保護面が着脱自在に簡単に取り付け可能な顔面保護面固定具（図示せず）を設けることにより、眼や顔面等の保護の強化も可能な構造となっている。【００２３】    さらに、前記最外部折り曲げ台形プレート２は、頭部への適正な着用と固定が簡単にできる構造の顎紐固定具１２を設けることにより、安全に安定した使用も可能な構造となっている。【００２４】    本考案の一実施例として、折り曲げ用多角形としては六角形を例示したが、六角形に限定されることはなく、例えば、二つの直角を有する五角形にして、折り曲げた形状が、一つの直角を有する台形になる構造などが採用できる。【００２５】    さらに、本考案の折り畳み式防災頭巾は、プレートの色を変えることにより、家族名、学校名、団体名及び地域名等を確認する目安とすることも可能である。
【産業上の利用可能性】
【００２６】    本考案の折り畳み式防災頭巾は、携帯するのも容易であり、さらに学校や様々な施設等で保管するにも広い場所を要しないので、何時でも、何処でも簡単・容易に使用することが可能である。
【符号の説明】
【００２７】    １  折り畳み式防災頭巾
２  中央折り曲げ部
３  最外部用折り曲げ用六角形プレート
４  最外部以外用折り曲げ用六角形プレート
５  連結固定紐具
６  連結固定紐具の元固定孔部
７  連結固定紐具の重ね連結用孔部
８  要用貫通孔部
９  最外部折り曲げ台形プレート
１０  最外部以外折り曲げ台形プレート
１１  要用固定具
１２  顎紐固定具
【図１】
0003189557.tif 000003
【図２】
0003189557.tif 000004
【図３】
0003189557.tif 000005
【図４】
0003189557.tif 000006